(57)【特許請求の範囲】
【請求項１】
弾性材で構成された板バネに天井部を形成し、
この天井部の両端からＬ字型に伸びた両腕部を設け、
この両腕部に係合突起部と延出部を設け、
板状バスバーが挿入される中空部を有するフェライトコアを、前記天井部と延出部により保持するとともに、前記係合突起部を板状バスバーの係止手段に係合したことを特徴とするフェライトコア固定装置。
【請求項２】
前記両腕部に、先端が板状バスバーと接触してフェライトコアの傾きを抑制する抑制部を形成した突出部を設けたことを特徴とする請求項１記載のフェライトコア固定装置。
【発明の詳細な説明】
【０００１】
【発明の属する技術分野】
本発明は電源装置等に内蔵され、その出力にノイズの存在することを防止するためのフェライトコアを固定するフェライトコア固定装置に関するものである。
【０００２】
【従来の技術】
リード線を通過したフェライトコアを固定する取付構造が、実開平６−３６４９号公報に記載されているが、これは円筒形のフェライトコアの中空部にリード線を通し、ケースに半円形の溝を設けて、この溝に円筒形のフェライトコアを入れ、フェライトコア押さえでこのフェライトコアを押さえ、フックで止め、フェライトコアを規定取付位置に固定しているものであり、小電力型のリード線を用いたものであり、板状のバスバーに対応できるものではない。
【０００３】
このため、ハイパワー型の電源になると、電流容量が大きくとれる板状バスバーへの対策が必要となる。
【０００４】
従来は図５に示す如く、絶縁板６で部分的にカバーされている金属筐体４に、板状バスバー２１をねじ止め固定し、これに基板５を接続した例えば電源装置において、同（Ｂ）に示す如く、板状バスバー２１の出力端子側に、フェライトコア３０を固定配置する。
【０００５】
このフェライトコア３０は、図５（Ａ）に示す如く、一対のＵ字状フェライトコア３、３により板状バスバー２１を嵌合する。それからテープ３２をこのＵ字状フェライトコア３、３に巻回して、Ｕ字状フェライトコア３、３を固定する。Ｕ字状フェライトコア３、３を接着剤で接合してもよく、両者を併用してもよい。
【０００６】
このように板状バスバー２１に複数のフェライトコアを嵌合したあとで、板状バスバー２１の所定位置に、図５（Ｂ）に示す如く、接着剤である樹脂３３によりフェライトコア３０、３０、３０を板状バスバー２１と固定する。図５（Ｃ）は、板状バスバー２１に、テープ３２の巻回しにより固定されたＵ字状フェライトコアを接着剤である樹脂３３により固定した状態を、板状バスバー２１の上からみた図で示している。
【０００７】
【発明が解決しようとする課題】
このような、筐体に内蔵された板状バスバーに対して、一対のＵ字状フェライトコアを上下、または左右方向より板状バスバーに装着し、テープ巻回あるいは接着剤樹脂によりこのＵ字状フェライトコア同志を接合し、所定位置に樹脂固定する方法では、テープ巻回の作業スペース、樹脂の塗布・乾燥、所定位置のバラツキといった作業性等の問題があった、またフェライトコアが、この樹脂の塗布までにガタツキが生じ、フェライトコアに損傷が生じたり、作業時間が大きく係るという問題もあった。
【０００８】
従って本発明の目的は、このような問題点を改善したフェライトコア固定装置を提供するものである。
【０００９】
【課題を解決するための手段】
本発明の概略を図１により説明する。図１において、１はフェライトコア固定用板バネ、１Ａは両腕部、１Ｂは係合突起、１Ｃは延出部、１Ｅは天井部、２は板状バスバー、２Ａは係止穴、３はＵ字状フェライトコア、４は金属筐体、５は基板、６は絶縁板である。
【００１０】
本発明の前記目的は下記（１）、（２）により達成することができる。
【００１１】
（１）弾性材で構成された板バネ１に天井部１Ｅを形成し、
この天井部１Ｅの両端からＬ字型に伸びた両腕部１Ａを設け、
この両腕部１Ａに係合突起部１Ｂと延出部１Ｃを設け、
板状バスバー２が挿入される中空部を有するフェライトコア３、３を、前記天井部１Ｅと延出部１Ｃにより保持するとともに、前記係合突起部１Ｂを板状バスバー２の係止手段２Ａに係合したことを特徴とするフェライトコア固定装置。
【００１２】
（２）前記両腕部に、先端が板状バスバーと接触してフェライトコアの傾きを抑制する抑制部を形成した突出部を設けたことを特徴とする前記（１）記載のフェライトコア固定装置。
【００１３】
これにより下記の作用効果を奏する。
【００１４】
（１）天井部によりＵ字型のフェライトコア中央部を加圧し、両腕下端より内側に伸びた延出部により、板状バスバーの周囲に位置する一対のＵ字型フェライトコアを加圧保持するとともに、フェライトコア係合突出部と板状バスバーの係合手段を係合したので、板状バスバーの所定位置にＵ字型フェライトコアをきわめて簡単に、固定保持することができ、しかもこの作業を省スペースで作業性よく行うことができるフェライトコア固定装置を提供することができる。
【００１５】
（２）板状バスバーと接触して、フェライトコアの傾きを抑制する抑制部を設けたので、フェライトコアの傾きの発生を効果的に防止・抑制することができる。
【００１６】
【発明の実施の形態】
本発明の一実施の形態を図１及び図２により説明する。図１は本発明のフェライトコア固定装置の斜視図を示し、同（Ａ）は分解図、同（Ｂ）はフェライトコアの固定状態を示す。また図２は本発明のフェライトコア固定装置の要部詳細説明図を示す。
【００１７】
図中、１はフェライトコア固定用板バネ、２は板状バスバー、３はＵ字状フェライトコア、４は金属筐体、５は基板、６は絶縁板である。
【００１８】
フェライトコア固定用板バネ１は、Ｕ字状フェライトコア３、３を板状バスバー２に固定するものであり、ステンレス鋼やリン青銅等のバネ材が使用されるが、軽さ面を重視するときはプラスチック等の前記材料と同等の強度・弾性を有したものが使用できる。
【００１９】
このフェライトコア固定用板バネ１は、内側に屈曲した天井部１Ｅを有し、この天井部１Ｅの両端から、Ｕ字状フェライトコア３を抱きかかえるようにＬ字型に伸びた両腕部１Ａ、１Ａを有する。この両腕部１Ａにはバスバー係合用突出部１Ｆと、フェライトコア挟持用突出部１Ｇが形成され、また両腕部１Ａの先端には、内側に延びた延出部１Ｃが形成される。そしてバスバー係合用突出部１Ｆの先端には、係合突起１Ｂが形成される。このフェライトコア固定用板バネ１にＵ字状フェライトコア３が挟持されていない場合、図１（Ａ）に示す如く、天井部１Ｅの幅Ｗ0 は、両腕部１Ａの先端部分の幅Ｗ1 より大きい状態で、つまりＷ0 ＞Ｗ1 の状態で構成される。
【００２０】
板状バスバー２は端子Ｔ1 より大電流を出力するものであり、金属筐体４の絶縁板６上に配置される。板状バスバー２には前記係合突起１Ｂと係合する複数の係止穴２Ａが形成され、また複数の突起が形成されて基板５と接続し、電源回路を構成している。この板状バスバー２の出力側の周囲には、その端子Ｔ1 の出力にノイズが存在しないようにするため、板状バスバー２を囲んでＵ字状フェライトコア３、３・・・が配置されている。
【００２１】
この板状バスバー２を囲んでＵ字状フェライトコア３、３を固定配置するとき、本発明では、板状バスバー２の上下からＵ字状フェライトコア３、３を挟み、次いでＵ字状フェライトコア固定用板バネ１の延出部１Ｃ、１Ｃを、図２（Ｂ）の点線に示す如く開いて、これらＵ字状フェライトコア３、３をその両腕部１Ａ、１Ａ間で抱きかかえるように保持させる。それから一対の両腕部１Ａ、に形成されたバスバー係合用突出部１Ｆの係合突起１Ｂ、１Ｂを板状バスバー２の所定の位置の係止穴２Ａ、２Ａに係合させる。
【００２２】
これにより、図２（Ｂ）の実線に示す如く、両腕部１Ａ、１Ａの下端より内側に伸びた延出部１Ｃは、矢印Ｘ方向に移動してＵ字状フェライトコア３、３の中空部分を通る板状バスバー２と、一対のＵ字状フェライトコア３、３とを所定位置にきわめて簡単に強固に保持する。
【００２３】
換言すれば、板バネに天井部１Ｅと、両腕部１Ａを設け、この両腕部１Ａに板状バスバーに形成した係止穴２Ａの如き係止手段に係合する係合突起１Ｂと、延出部１Ｃを設けたことにより、板状バスバーの周囲に配置されたフェライトコアをその中空部を通る板状バスバーに図２（Ｂ）の矢印Ｘ方向に、抱きかかえるように押圧挟持するとともに、板状バスバーの所定位置に正確に配置できる。しかも接着用の樹脂を使用しないので、その樹脂を付着する作業工程も、塗布した樹脂を乾燥させる作業場も不必要となる。
【００２４】
本発明の第２の実施の形態を図３により説明する。第２の実施の形態では、図３に示す如く、フェライトコア挟持用突出部１Ｈの先端に板状バスバー２と接触する突出部１Ｄを形成したものである。この突出部１Ｄは、フェライトコア固定用板バネ１′のバスバー係合用突出部１Ｆの先端に設けられた係合突起１Ｂの対向端部から外側（フェライトコアと反対側）方向に位置するように形成されている。
【００２５】
これにより、図３（Ｂ）に示す如く、板状バスバー２の周囲に配置されたＵ字状フェライトコアが矢印Ｙ方向に傾くような力を受けても、板状バスバー２と接触する突出部１Ｄがこの傾きの作用を抑制し、フェライトコアが傾くことを防止する。この結果フェライトコアの破損や位置ずれを効果的に防止することができる。
【００２６】
本発明の第３の実施の形態を図４により説明する。図４では、フェライトコア固定用板バネ１０の係合突起をフック状突起８に形成し、また板状バスバー９の係止用の穴の形を長穴９Ａにして係止するものである。図４（Ａ）に示す如く、フェライトコア固定用板バネ１０は、前記と同様に天井部の幅Ｗ0 は両腕部の先端部分の幅Ｗ1 より大きい。前記図１、２の場合と同様にして、板状バスバー９に対しフェライトコア３、３をその周囲に固定することができる。
【００２７】
なお前記説明ではバスバーの係止手段として穴を設けた場合について説明したが、本発明は勿論これに限定されるものではなく、例えばフックなど他の構成のものでもよい。
【００２８】
【発明の効果】
本発明により下記の効果を奏することができる。
【００２９】
（１）天井部によりＵ字型のフェライトコア中央部を加圧し、両腕下端より内側に伸びた延出部により、板状バスバーの周囲に位置する一対のＵ字型フェライトコアを加圧保持するとともに、フェライトコア係合突出部と板状バスバーの係合手段を係合したので、板状バスバーの所定位置にＵ字型フェライトコアをきわめて簡単に、固定保持することができ、しかもこの作業を省スペースで作業性よく行うことができるフェライトコア固定装置を提供することができる。
【００３０】
（２）板状バスバーと接触して、フェライトコアの傾きを抑制する抑制部を設けたので、フェライトコアの傾きの発生を効果的に防止・抑制することができる。
【図面の簡単な説明】
【図１】本発明のフェライトコア固定装置の斜視図である。
【図２】本発明のフェライトコア固定装置の要部詳細図である。
【図３】本発明の第２の実施の形態の要部詳細図である。
【図４】本発明の第３の実施の形態の要部詳細図である。
【図５】従来例説明図である。
【符号の説明】
１、１′、１０  フェライトコア固定用板バネ
１Ａ  両腕部
１Ｂ  係合突起
１Ｃ  延出部
１Ｄ  突出部
１Ｅ  天井部
１Ｆ  バスバー係合用突出部
１Ｇ、１Ｈ  フェライトコア挟持用突出部
２、９、２１  板状バスバー
２Ａ  係止穴
３  Ｕ字状フェライトコア
８  フック状突起
９Ａ  長穴
３２  テープ
３３  樹脂
【図１】
0003679723.tif 000002
【図２】
0003679723.tif 000003
【図３】
0003679723.tif 000004
【図４】
0003679723.tif 000005
【図５】
0003679723.tif 000006